(57)【要約】【課題】本発明は、回線を挿し間違えたことによる画像通信装置の通信部の故障を防止し、不具合の発生を未然に防ぐ画像通信装置を提供することを目的とする。【解決手段】ファクシミリ通信機能を持つ画像通信装置の電話回線接続コネクタにビジネスホンなどのデジタル回線を誤って誤挿しした場合に、回線診断部３１によって回線の種別判断を行う。アナログ回線の場合は回線接続を可能とし、アナログ回線以外の場合は接続しないで、その状態をユーザに通知する。【選択図】図５
2015142165.tif 000002
【特許請求の範囲】
【請求項１】
ファクシミリ通信を行う通信手段を備える画像通信装置において、
前記画像通信装置に接続された回線の種別を診断する回線診断手段と、
前記回線診断手段と前記回線の接続を、前記通信手段と前記回線の接続に切り替える切替え手段と、
前記回線診断手段により前記回線がアナログ回線と診断された場合に、前記切替え手段による切り替えを行わせる制御手段とを備えることを特徴とする画像通信装置。
【請求項２】
前記制御手段は、前記回線診断手段により前記回線がアナログ回線以外と判断された場合には、ユーザに回線情報を通知して差し替えを促すことを特徴とする請求項１に記載の画像通信装置。
【請求項３】
前記制御手段は、前記回線診断手段により前記回線がアナログ回線以外と判断された場合には、エラー音を鳴動すると共にメッセージを表示して回線の差し替えを促すことを特徴とする請求項１に記載の画像通信装置。
【請求項４】
前記切替え手段は、前記回線診断手段と前記回線が接続されている状態を初期状態とすることを特徴とする請求項１乃至３のいずれか１項に記載の画像通信装置。
【請求項５】
前記通信手段による通信中に回線が抜かれたかどうかを判断する挿抜判断手段をさらに備え、
前記回線診断手段は、前記挿抜判断手段により回線が抜かれたと判断した場合に回線診断を行うことを特徴とする請求項１乃至４のいずれか１項に記載の画像通信装置。
【請求項６】
前記回線診断手段は、
回線開放時の回線間電圧を計測して記憶手段に記憶する第１の計測手段と、
第１の所定電流を流したときの第１の回線間電圧を計測して前記記憶手段に記憶する第２の計測手段と、
前記第１の所定電流とは異なる第２の所定電流を流したときの第２の回線間電圧を計測して前記記憶手段に記憶する第３の計測手段とを備え、
前記記憶手段に記憶された回線開放時の回線間電圧、第１の回線間電圧、第２の回線間電圧を予め設定された基準値と比較して回線種別を判断することを特徴とする請求項１乃至５のいずれか１項に記載の画像通信装置。
【請求項７】
ファクシミリ通信を行う通信手段を備える画像通信装置の制御方法において、
前記画像通信装置に接続された回線の種別を診断する回線診断手段による回線診断工程と、
前記回線診断手段と前記回線の接続を、前記通信手段と前記回線の接続に切り替える切替え工程と、
前記回線診断工程にて前記回線がアナログ回線と診断された場合に、前記切替え工程による切り替えを行わせる制御工程とを備えることを特徴とする制御方法。
【請求項８】
請求項７に記載の制御方法を画像通信装置に実行させるためのコンピュータに読み取り可能なプログラム。
【発明の詳細な説明】
【技術分野】
【０００１】
本発明は、画像通信装置及びその制御方法、並びにプログラムに関し、特に、電話回線の誤挿し防止技術に関する。
【背景技術】
【０００２】
近年、ファクシミリ通信用ＭＯＤＥＭと電話回線とのインターフェースに、半導体化されたデータアクセス装置（Ｄａｔａ  Ａｃｃｅｓｓ  Ａｒｒｅｎｇｅｍｅｎｎｔ：以下、「ＤＡＡ」と呼ぶ。）が用いられている。ＤＡＡは、ＮＣＵ（網制御ユニット）の役割を果たし、半導体ＩＣで構成されているため、ＳＤＡＡ（Ｓｉｌｉｃｏｎ  ＤＡＡ）とも呼ばれている。
【０００３】
ファクシミリ通信部は、ＭＯＤＥＭと、ＤＡＡおよび呼出信号検出回路と、電話機のオフフック検出回路と、ノイズ対策のディスクリート部品で構成されている。ＤＡＡは、前述のように半導体化されているが、周辺回路はメーカ推奨のディスクリート回路で構成されている。ＤＡＡの周辺のディスクリート回路も含めてＤＡＡとする。
【０００４】
全世界にファクシミリ搭載機が展開されており、ＭＯＤＥＭとＤＡＡの各国対応については、国コードを設定することで国毎の規格に応じた設定が行われている。この設定値に応じた動作によって各国規格に対応することが可能となる。
【０００５】
また、呼出信号と電話機のオフフック検知は、それぞれ専用の回路で行っている。呼出信号の検知は、呼出信号検知回路で行っている。電話機のオフフック検知は、オフフック検知回路で構成されている。
【０００６】
一方、電話回線を用いた通信方式の多様化（デジタル化）に伴い、従来の回線に多様な通信方式の回線信号を用いる構成が存在する。アナログ回線対応の画像通信装置にデジタル回線を接続した場合、通信方式の違いにより通信不具合や回路故障等の不具合が発生している。ＤＡＡには、回線の過電流や過電圧を検知して所定の電流或は電圧値以上を検知した場合に、ＤＡＡの回線捕捉時の直流抵抗を高く制御し、または回線解放の制御をすることで回路破壊を防止する機能がある。しかしながら、ＤＡＡの機能のみでは、デジタル回線のパワーが大きく防御できない状況が発生しているため、対策が求められている。
【０００７】
特許文献１は、回線インターフェースに故障が生じると、当該回線を通じての着信が行われなくなるので、着信監視回路により検知し、テスト通信用のプログラムにより、その異常の有無を自動的に発見できるものである。
【先行技術文献】
【特許文献】
【０００８】
【特許文献１】特開平８−２１４０８１号公報
【発明の概要】
【発明が解決しようとする課題】
【０００９】
従来の画像通信装置には、通信回線のアナログ信号を使用する構成となっており、アナログ信号とデジタル信号を判別する機能を持っていない。このため、誤って適合してないデジタル回線を接続すると回線接続エラーや故障が生じる。通信回線を接続するコネクタが異なれば接続されることは無いが、通信回線を接続するモジュラーコネクタは同じものである。しかも、使用するピン番号も同じである。誤挿入された場合には防御のしようが無い。例えば、ビジネスホンのデジタル回線をアナログＦＡＸに接続した場合、回線仕様が異なるため、ＦＡＸ回路が故障する場合がある。ビジネスホンの接続例を図３に示す。
【００１０】
ビジネスホン主装置４１は、ビルの規模の大小によらず様々な場所に設置されている。ビジネスホン主装置４１は、代表電話番号に対して複数のビジネスホン端末４３やＦＡＸや一般電話４５が接続可能である。回線４２はビジネスホン専用のデジタル回線でメーカ毎に独自のインターフェースを採用している。回線仕様は一般公開されていない。回線４４は、従来のアナログ回線でＰＳＴＮ回線（一般のアナログ加入電話回線ネットワーク）と同様である。回線４２と回線４４は、回線のコネクタ、モジュラージャックのサイズ、ピン数が同様である（図３（ｂ））。給電仕様が異なるが同じＲＪ−１１コネクタで、同じ信号線を使用している。
【００１１】
図４（ａ）、図４（ｂ）はＰＳＴＮ回線とビジネスホン回線の回線解放時の電圧及び回線捕捉時の電流値とその時の回線間電圧を示す。ＰＳＴＮ回線の回線解放時の回線間電圧６０は４８Ｖ程度である。一方、この回線の回線捕捉時の回線電流は約１００ｍＡ、回線間電圧６１は１０Ｖ程度である。この回線電流と電圧は主装置で制御されている。このＰＳＴＮ回線の回線電流が１００ｍＡであればアナログ通信を行うファクシミリ装置が故障することは無い。
【００１２】
一方、ビジネスホン回線の回線解放時の回線間電圧６４は５０Ｖ程度で、回線捕捉時の回線電流は４００ｍＡで、回線間電圧６５は５０Ｖ程度である。この特徴は回線電流が大きくても回線電流は下がらない点である。このビジネスホン回線がファクシミリ装置などのアナログ通信端末に接続された場合は、回線電流に耐えられず、回線捕捉回路及び周辺回路が破損する場合がある。
【００１３】
本発明は、上記問題に鑑みて成されたものであり、回線を挿し間違えたことによる画像通信装置の通信部の故障を防止し、不具合の発生を未然に防ぐ技術を提供することを目的とする。
【課題を解決するための手段】
【００１４】
上記目的を達成するために、本発明の画像通信装置は、ファクシミリ通信を行う通信手段を備える画像通信装置において、前記画像通信装置に接続された回線の種別を診断する回線診断手段と、前記回線診断手段と前記回線の接続を、前記通信手段と前記回線との接続に切り替える切替え手段と、前記回線診断手段により前記回線がアナログ回線と診断された場合には、前記切替え手段による切り替えを行わせる制御手段とを備えることを特徴とする。
【発明の効果】
【００１５】
本発明によれば、ファクシミリ通信機能を持つ画像通信装置の電話回線接続コネクタにビジネスホンなどのデジタル回線を誤って誤挿しした場合に、回線診断手段によって回線の種別判断を行う。アナログ回線の場合は回線接続を可能とし、アナログ回線以外の場合は接続しないで、その状態をユーザに通知する。この制御により、回線の誤挿しによる回路破壊を防止することが可能となる。
【図面の簡単な説明】
【００１６】
【図１】本発明の実施形態に係る画像通信装置の概略構成を示すブロック図である。
【図２】図１におけるＦＡＸ部１４の詳細な構成を示す回路図である。
【図３】（ａ）ビジネスホンの接続例を示す図、（ｂ）モジュラーコネクタの正面図である。
【図４】（ａ）ＰＳＴＮ回線における回線開放時と回線捕捉時の回線電流と回線間電圧を比較した図、（ｂ）ビジネスホン回線における回線開放時と回線捕捉時の回線電流と回線間電圧を比較した図である。
【図５】図１の画像通信装置における電源ＯＮから通信終了までの動作の流れを示すフローチャートである。
【図６】図５のステップＳ５における回線診断処理の詳細を示すフローチャートである。
【発明を実施するための形態】
【００１７】
以下、本発明の実施の形態を図面を参照して詳細に説明する。
【００１８】
図１は、本発明の実施形態に係る画像通信装置の概略構成を示すブロック図である。なお、本発明は、ファクシミリ通信機能を持った全ての画像通信装置に適用されるものである。特に、ファクシミリ通信に関するＰＴＴ規格は各国によって異なるため、このような各国対応を要求される画像通信装置に適用されるものである。
【００１９】
図１において、画像通信装置は、システム全体の制御と主要機能を制御するシステム制御部１と、読取部１２、記録部１３、操作部１６、ＦＡＸ部１４、切り替え回路３０、及び回線診断部３１を備える。なお、ＦＡＸ部１４、切り替え回路３０、及びＦＡＸ部１４は、通信制御部を構成する。切り替え回路３０は、外部の公衆回線に接続することができる。
【００２０】
システム制御部１は、制御部１０、メモリ部１１を備える。制御部１０は、システム制御用ＬＳＩやＣＰＵから構成され、メモリ部１１に含まれるＲＯＭ２０に記憶されているプログラムに従って装置全体を制御するものである。ＲＯＭ２０は、フラッシュメモリであり、システムを制御するためのブートプログラムとメインプログラムが圧縮されて記憶されている。メモリ部１１のＲＡＭ２１は、ＤＲＡＭやＳＲＡＭで構成され、各種データを格納するものである。ＤＲＡＭは、プログラム実行エリアでもある。制御部１０は、ＲＯＭ２０に圧縮されて格納されているメインプログラムを装置起動時にメモリ部１１のＤＲＡＭ上に展開して実行する。不揮発性メモリ２２は、装置の電源が遮断された状態にあっても画像など保存しておくべきデータを格納するメモリである。例えば、通信先の名称やダイヤル情報、または通信結果記録等が記憶される。
【００２１】
システム制御部１は、読取部１２、記録部１３、操作部１６、及びＦＡＸ部１４に接続されている。読取部１２は、制御部１０の制御によって、不図示のＣＣＤやＣＭＯＳラインセンサを用いて読み取ったデータを画像処理し、ＲＡＭ２１や不揮発性メモリ２２に格納するものである。記録部１３は、例えば、ＬＢＰで構成され、制御部１０の制御によってＲＡＭ２１または不揮発性メモリ２２に格納されている記録データを取り出し、記録部１３へ送ることでハードコピーとして印刷出力するものである。操作部１６は、各種動作モードのオペレーションを行うもので、入力用のスイッチ類と表示部から構成されている。
【００２２】
ＦＡＸ部１４は、切り替え回路３０に接続され、ファクシミリ通信を制御する。
【００２３】
回線診断部３１は、回線の種別を判断する機能を持ち、所定回線電流で回線を捕捉する回線捕捉回路３２と、各回線電流値での回線間電圧を計測する回線間電圧計測回路３３と、回線全波整流するブリッジダイオード３４から構成される。切替え回路３０は、待機時はＡ側に接続されている。
【００２４】
回線間電圧計測回路３３は、コンパレータと基準電圧を構成する回路で構成され、常時回線間電圧を計測し監視している。そして、回線４にモジュラーケーブルで回線が接続され、直流電圧が回線間電圧計測回路３３に印加され電圧が計測されると、その電圧値から回線が接続されたことが分かる。
【００２５】
ブリッジダイオード３４は、接続された電圧を常に極性を同一にして回線間電圧計測回路３３に接続する全波整流回路である。回線間電圧計測回路３３で電圧を検知すると、回線間電圧計測回路３３が所定の間隔で複数回検知する。
【００２６】
次に、回線捕捉回路３２で所定電流を流し、回線間電圧計測回路３３で電圧を計測する。電圧を測定できると、所定電流の値を変更して、さらに電圧を計測する。このときの電流値と電圧値から回線がＰＳＴＮ回線の特徴を示しているかが判断され、アナログ回線かそれ以外かが判断される。そして、アナログ回線と判断された場合は、そのまま待機し、呼出し信号を検知し、呼出し信号が検知されたときには、切替え回路３０をＢ側に切り替えてファクシミリ通信を行う。
【００２７】
図２は、図１におけるＦＡＸ部１４の詳細な構成を示す回路図である。
【００２８】
ＦＡＸ部１４は、ファクシミリ通信制御に必要なＭＯＤＥＭ２や半導体ＤＡＡ３、呼出信号検出回路５、オフフック検出回路６、および回線制御のデスクリート部品で構成されている。雷サージによる回路破壊防止のため、回線間にバリスタ７および回線−ＧＮＤ間にアレスタ９を実装している。バリスタ７とアレスタ９は、回線印加されるノーマルモードやコモンモードの雷サージノイズ等のサージノイズによる回路破壊を防止するものである。
【００２９】
ＭＯＤＥＭ２は、ＩＴＵＴの勧告に合致するＧ３モデムと、これらモデムに接続されたクロック発生回路などによって構成される。ＭＯＤＥＭ２は、システム制御部１内の制御部１０の制御に基づいて、ＲＡＭ２１や不揮発性メモリ２２に格納されている送信データをＭＯＤＥＭ２で変調し、ＤＡＡ３を介して電話回線４に出力するものである。また、ファクシミリ通信の受信データを受信し、ＲＡＭ２１や不揮発性メモリ２２に格納する。
【００３０】
ＭＯＤＥＭ２は次の機能を持っている。ＤＡＡ３と接続するためのＤＡＡインターフェース、システム制御部１と接続するためのＳｅｒｉａｌインターフェース、画像データ変復調、通信手順制御等である。
【００３１】
ＤＡＡ３は、半導体化されたデータアクセス装置である。ＭＯＤＥＭ２は、Ｃｏｍｍａｎｄセットを用いた制御系統を持ち、Ｓｕｐｅｒ−Ｇ３  ＦＡＸ通信に対応している。
【００３２】
ＤＡＡ３には次の機能がある、ＤＣ終端（回線捕捉）、ＡＣ終端、呼出信号の電圧検知、回線間インピーダンス調整機能、Ｉｓｏｌａｔｉｏｎインターフェースなどである。
【００３３】
また、ＭＯＤＥＭ２は、電話回線４から着信したアナログ信号をＤＡＡ３を介して導入し、これを復調する。そして、システム制御部１でＪＢＩＧ等の画像形態でＲＡＭ２１または不揮発性メモリ２２へ格納するものである。ＭＯＤＥＭ２とＤＡＡ３を接続するコンデンサ８は、ＭＯＤＥＭ２とＤＡＡ３間の通信をするためのインターフェースとアイソレーションを目的としている。
【００３４】
図３（ａ）は、ビジネスホンの接続例を示す図である。
【００３５】
４１はビジネスホンの主装置である。電話機は、ビジネスホン主装置４１に接続して始めて利用することができる。電話機は、ビジネスホン端末４３またはＦＡＸや一般電話４５である。
【００３６】
ビジネスホン端末４３は専用のデジタル信号で通信されるように作られている。ＦＡＸや一般電話４５は、アナログ信号で通信される。通信方式は公衆交換電話網、ＰＳＴＮ（Ｐｕｂｌｉｃ  Ｓｗｉｔｃｈｅｄ  Ｔｅｌｅｈｏｎｅ  Ｎｅｔｗｏｒｋ）と同特性で、固定電話回線の電話網である。
【００３７】
電話局４０とビジネスホン主装置４１との接続はデジタル化されている。ビジネスホン主装置４１は、多機種が市場に投入されているが、その回線接続数の一例を示す。外線：最大約２００回線、内線：最大約６００台である。よって、使用される環境はさまざまである。前述したように多回線に対応していること、ビジネスホン端末専用の回線４２の通信方式は、デジタル方式である。ビジネスホン主装置４１のデジタル通信方式は各社専用の独自方式で一般公開されていない。一方、ＦＡＸや一般電話４５の回線４４は、前述したようにアナログ信号を扱うアナログ回線である。
【００３８】
回線４２と回線４４のモジュラーコネクタは、図３（ｂ）に示すように、正面のピン配列４６に構成されている。この中心の信号線２ピンをデジタル信号またはアナログ信号の通信に使用している。回線４２と回線４４の両接続端子が同様であること、信号ピンも同様であるため、両接続端子の接続口を誤って挿し間違えることは容易に想像できる。もし、挿し間違えた場合、ＦＡＸや一般電話４５などのアナログ信号を扱う画像通信装置では、ＦＡＸ部１４等を含む通信制御部が破損する場合がある。
【００３９】
図４（ａ）及び図４（ｂ）は、ＰＳＴＮ回線とビジネスホン回線における公衆回線開放時と回線捕捉時の回線電流と回線間電圧を比較した図である。
【００４０】
ＰＳＴＮ回線の場合は、ビジネスホン主装置４１で回線電流の制御をしている。図４（ａ）の左側には、ＰＳＴＮ回線の回線解放時を示している。このときの回線間電圧６０は４８Ｖである。一方、図４（ａ）の右側に示すように、ＰＳＴＮ回線で回線電流１００ｍＡを流したときの回線捕捉時の回線間電圧６１は、約１０Ｖである。
【００４１】
ビジネスホン回線の場合は、デジタル制御であり、回線電流値による回線間電圧は変化が少ない。例えば、回線電流が４００ｍＡのとき、回線間電圧は５０Ｖであって、回線解放時と同程度の電圧レベルである。図４（ｂ）の左側には、ビジネスホン回線のオフフック時（回線解放時）を示している。このときの回線間電圧６４は、約５０Ｖである。一方、図４（ｂ）の右側に示すように、ビジネスホン回線で回線捕捉電流４００ｍＡ程度を流したときの回線間電圧６５は約５０Ｖである。つまり、ビジネスホン回線の回線電流は、ＰＳＴＮ回線の回線電流に比べて大電流が流れる。この場合でも回線間電圧は５０Ｖ程度を維持する特徴がある。
【００４２】
ビジネスホン端末専用の回線４２と、ＦＡＸや一般電話４５が接続可能な回線４４の接続を取り違えた場合、アナログの回線４４にビジネスホン端末４３のモジュラを挿した場合は、端末が動作しない状態となって故障はない。一方、ビジネスホン端末専用の回線４２にＦＡＸや一般電話４５を接続した場合、回線捕捉時に上述のように回線電流４００ｍＡ程度流れる。ファクシミリ装置では、この電流によって回線捕捉回路３２やＤＡＡ３が過熱破損する場合がある。このような誤接続に対しての対策は様々提案されているが、有効な手段が無い現状である。
【００４３】
本実施形態では、回線をＦＡＸ部１４に接続する前に回線診断部３１によって回線診断を行い、誤接続による故障を未然に防ぐことが可能になる。
【００４４】
次に、回線診断部３１による回線の誤挿し判定処理について説明する。
【００４５】
図５は、図１の画像通信装置における電源ＯＮから通信終了までの動作の流れを示すフローチャートである。
【００４６】
システム制御部１は、画像通信装置の電源ＯＮを検知すると、制御部１０のＣＰＵによって各部の制御を開始する（ステップＳ２）。
【００４７】
次に、ステップＳ３では、システム制御部１は、デフォルト（初期状態）として、回線４が回線診断部３１へ接続されるように切り替え回路３０を切り替える。
【００４８】
ステップＳ４では、システム制御部１は、回線への接続有無を判断する。具体的には、回線診断部３１を利用して回線が挿されているかどうかを判断する。例えば、回線間電圧計測回路３３によって回線解放時の電圧を計測し、計測結果が４８Ｖ〜５０Ｖであれば、なんらかの回線が接続されていることが判別できる。ステップＳ４では、例えばシステム制御部１が接続判断手段として機能する。
【００４９】
ステップＳ４で回線接続有りと判定された場合、ステップＳ５へ進む。一方、ステップＳ４で回線接続なしと判定された場合、システム制御部１は、ユーザに回線接続を促す制御を行う（ステップＳ７）。例えば、エラー音を鳴動させて、操作部１６の表示部に回線接続を促すメッセージを表示する。その後、ステップＳ４へ戻る。
【００５０】
ステップＳ５では、回線診断部３１による回線診断処理が行われる。本ステップの詳細については後述する。ステップＳ５では、例えばシステム制御部１や回線診断部３１、ＦＡＸ部１４、切替え回路３０が回線診断手段として機能する。
【００５１】
ステップＳ６では、システム制御部１は、ステップＳ５の診断結果からアナログ回線か、デジタル回線かを判定する。デジタル回線と判定した場合は、ステップＳ１３へ進み、ユーザに回線情報を通知して回線の挿し直しを促す。通知方法としては、エラー音を鳴動させ、操作部１６の表示部に所定の通知内容（メッセージ）を表示する。なお、通知方法については、これらに限定するものではない。
【００５２】
一方、ステップＳ６でアナログ回線と判定された場合、ステップＳ８へ進み、システム制御部１は、回線４を切替え回路３０によって回線診断部３１側からＦＡＸ部１４側に切り換えて着信検知を行う。
【００５３】
ステップＳ８で着信有りと判定した場合にはステップＳ９へ進み、ＦＡＸ通信を行う。一方、ステップＳ８で着信無しと判定した場合には本処理を終了する。
【００５４】
ステップＳ１０では、システム制御部１は、ＦＡＸ通信中に回線が抜かれたかを判断する。回線が抜かれたと判断した場合には、ステップＳ３へ戻る一方、回線が抜かれていないと判断した場合にはステップＳ１１へ進み、ＦＡＸ通信が終了したか否かを判断する。ＦＡＸ通信が終了していないと判断した場合には、ステップＳ１０に戻る一方、ＦＡＸ通信が終了した場合には、本処理を終了する。ステップＳ１０では、例えばシステム制御部１は、挿抜判断手段として機能する。
【００５５】
図６は、図５のステップＳ５における回線診断処理の詳細を示すフローチャートである。
【００５６】
待機時には、切替え回路３０は図１におけるＡ側に接続されている。回線診断部３１内の回線間電圧計測回路３３は、常時回線間電圧を監視している。そして、回線４にモジュラーケーブルが接続され、直流電圧が回線間電圧計測回路３３に印加され電圧が計測されると、その電圧値から回線が接続されたことが分かる。
【００５７】
ステップＳ２１では、システム制御部１は、回線診断部３１により、回線解放時の回線間電圧を計測させ、メモリ部１１に記憶しておく。
【００５８】
次に、システム制御部１は、所定電流１（第１の所定電流）を流して回線を捕捉し（ステップＳ２２）、回線診断部３１により、そのときの回線間電圧（第１の回線間電圧）を計測させて、メモリ部１１に記憶しておく（ステップＳ２３）。
【００５９】
さらに、システム制御部１は、所定電流２（第２の所定電流）を流して回線を捕捉し（ステップＳ２４）、回線診断部３１により、そのときの回線間電圧（第２の回線間電圧）を計測させて、メモリ部１１に記憶しておく（ステップＳ２５）。なお、所定電流１と所定電流２の値は、アナログ回線の特性から割り出されたものである。
【００６０】
ステップＳ２６では、システム制御部１は、ステップＳ２３，Ｓ２５における計測結果を予め設定された基準値と比較して回線種別を判定する。例えば、アナログ回線の場合は電圧と電流の関係が比例関係であって、回線電流が２０ｍＡから１００ｍＡで、回線間電圧が１０Ｖ程度になる。回線解放時の電圧は４８Ｖ程度である。一方、デジタル回線の場合は、回線電流が１０ｍＡ〜１００ｍＡで回線間電圧は５０Ｖ程度ある。これらの値から判別することが可能である。
【００６１】
上記実施形態によれば、ファクシミリ通信機能を持つ画像通信装置の電話回線接続コネクタにビジネスホンなどのデジタル回線を誤って誤挿しした場合に、回線診断部３１によって回線の種別判断を行う。アナログ回線の場合は回線接続を可能とし、アナログ回線以外の場合は接続しないで、その状態をユーザに通知する。これにより、回線の誤挿しによる回路破壊を防止することが可能となる。
【００６２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６３】
１  システム制御部
２  ＭＯＤＥＭ
３  ＤＡＡ
４  電話回線
５  呼出信号検知回路
６  オフフック検知回路
１４  ＦＡＸ部
３１  回線診断部
３２  回線捕捉回路
３３  回線間電圧計測回路
【図１】
2015142165.tif 000003
【図２】
2015142165.tif 000004
【図３】
2015142165.tif 000005
【図４】
2015142165.tif 000006
【図５】
2015142165.tif 000007
【図６】
2015142165.tif 000008